【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】  Ａ  ５〜９５重量部の、異なる溶液粘度を有する２種の芳香族ポリカーボネート類Ａ.１およびＡ.２の混合物であって、
１.Ａ.１の相対溶液粘度が１.１８〜１.２４であり、
２.Ａ.２の相対溶液粘度が１.２４〜１.３４でありそして
３.Ａ.１およびＡ.２の相対溶液粘度の間の差が０.０６に等しいかまたはそれより大きく、
１種もしくはそれより多い別のポリカーボネートをＡ.１およびＡ.２の混合物に加えてもよいような混合物、
Ｂ  ０〜５０重量部の、１種もしくは少なくとも２種のエチレン系不飽和単量体よりなる（共）重合体、
Ｃ  ０.５〜６０重量部の、クロロプレン、１,３−ブタジエン、イソプレン、スチレン、アクリロニトリル、エチレン、プロピレン、酢酸ビニルおよびアルコール部分中の炭素数が１〜１８の（メタ）アクリル酸エステル類よりなる群から選択される少なくとも２種の単量体のグラフト重合により得られるグラフト重合体、
Ｄ  ０.５〜２０重量部の、式（Ｉ）
【化１】
2001512774.tif 000001
［式中、
Ｒ1、Ｒ2、Ｒ3およびＲ4は、互いに独立して、場合によりハロゲン化されていてもよいＣ1−Ｃ8アルキル基、または各々が場合によりハロゲンおよび／もしくはＣ1−Ｃ4アルキル基により置換されていてもよいＣ5−Ｃ6シクロアルキル、Ｃ6−Ｃ20アリールもしくはＣ7−Ｃ12アラルキル基を表し、
ｎは各々が独立して、０または１を表し、
Ｎは０〜３０でありそして
Ｘは炭素数が６〜３０の単−または多核芳香族基を表す］
の燐化合物、
Ｅ  ０.０５〜５重量部の、弗素化されたポリオレフィン、
Ｆ  １００重量部のＡ〜Ｅ当たり０.０１〜５０重量部の、２００ｎｍより小さいかまたはそれに等しい平均粒子直径を有する非常に微細に分割された無機化合物
を含有する耐炎性熱可塑性成形組成物。
【請求項２】  式（Ｉ）におけるＮが０.３〜２０の値を有することを特徴とする、請求項１に記載の成形組成物。
【請求項３】  式（Ｉ）において、Ｒ1、Ｒ2、Ｒ3およびＲ4が、互いに独立して、Ｃ1−Ｃ4アルキル基または各々が場合によりハロゲンおよび／もしくはアルキル基で置換されていてもよいフェニル、ナフチルもしくはフェニル−Ｃ1−Ｃ4アルキル基を表し、そしてＸが場合により塩素化または臭素化されていてもよいビスフェノール−Ａ、レゾルシノールまたはヒドロキノンから選択されるジフェノール類から誘導される、請求項１〜２のいずれか１項に記載の成形組成物。
【請求項４】  成分Ｆとして、元素の周期系の１Ａ〜５Ａおよび１Ｂ〜８からの元素と酸素、硫黄、ホウ素、炭素、燐、窒素、水素または珪素よりなる群から選択される少なくとも１種の元素との化合物を含有する、請求項１に記載の成形組成物。
【請求項５】  請求項１〜４のいずれか１項に記載の成形組成物から製造される成形された品物。
【手続補正２】
【補正対象書類名】明細書
【補正対象項目名】０１０９
【補正方法】変更
【補正の内容】
【０１０９】
【表１】
2001512774.tif 000002
本発明の好適な実施の態様は次のとおりである。
１．  Ａ  ５〜９５重量部の、異なる溶液粘度を有する２種の芳香族ポリカーボネート類Ａ.１およびＡ.２の混合物であって、
１.Ａ.１の相対溶液粘度が１.１８〜１.２４であり、
２.Ａ.２の相対溶液粘度が１.２４〜１.３４でありそして
３.Ａ.１およびＡ.２の相対溶液粘度の間の差が０.０６に等しいかまたはそれより大きく、
１種もしくはそれより多い別のポリカーボネートをＡ.１およびＡ.２の混合物に加えてもよいような混合物、
Ｂ  ０〜５０重量部の、１種もしくは少なくとも２種のエチレン系不飽和単量体よりなる（共）重合体、
Ｃ  ０.５〜６０重量部の、クロロプレン、１,３−ブタジエン、イソプレン、スチレン、アクリロニトリル、エチレン、プロピレン、酢酸ビニルおよびアルコール部分中の炭素数が１〜１８の（メタ）アクリル酸エステル類よりなる群から選択される少なくとも２種の単量体のグラフト重合により得られるグラフト重合体、
Ｄ  ０.５〜２０重量部の、式（Ｉ）
【化１】
2001512774.tif 000003
［式中、
Ｒ1、Ｒ2、Ｒ3およびＲ4は、互いに独立して、場合によりハロゲン化されていてもよいＣ1−Ｃ8アルキル基、または各々が場合によりハロゲンおよび／もしくはＣ1−Ｃ4アルキル基により置換されていてもよいＣ5−Ｃ6シクロアルキル、Ｃ6−Ｃ20アリールもしくはＣ7−Ｃ12アラルキル基を表し、
ｎは各々が独立して、０または１を表し、
Ｎは０〜３０でありそして
Ｘは炭素数が６〜３０の単−または多核芳香族基を表す］
の燐化合物、
Ｅ  ０.０５〜５重量部の、弗素化されたポリオレフィン、
Ｆ  １００重量部のＡ〜Ｅ当たり０.０１〜５０重量部の、２００ｎｍより小さいかまたはそれに等しい平均粒子直径を有する非常に微細に分割された無機化合物
を含有する耐炎性熱可塑性成形組成物。
２．  式（Ｉ）におけるＮが０.３〜２０の値を有することを特徴とする、上記１に記載の成形組成物。
３．  成分Ｂがスチレン、α−メチルスチレン、環−置換されたスチレン類、アクリロニトリル、メタクリロニトリル、メタクリル酸メチル、無水マレイン酸、Ｎ−置換されたマレイン酸イミドおよびアルコール部分中の炭素数が１〜１８の（メタ）アクリル酸エステル類から選択される１種もしくは少なくとも２種のエチレン系不飽和単量体の（共）重合体である、上記１または２に記載の成形組成物。
４．  式（Ｉ）において、Ｒ1、Ｒ2、Ｒ3およびＲ4が、互いに独立して、Ｃ1−Ｃ4アルキル基または各々が場合によりハロゲンおよび／もしくはアルキル基で置換されていてもよいフェニル、ナフチルもしくはフェニル−Ｃ1−Ｃ4アルキル基を表し、そしてＸが場合により塩素化または臭素化されていてもよいビスフェノール−Ａ、レゾルシノールまたはヒドロキノンから選択されるジフェノール類から誘導される、上記１〜３のいずれかに記載の成形組成物。
５．  式（Ｉ）の燐化合物が燐酸トリブチル、燐酸トリス（２−クロロエチル）、燐酸トリス−（２,３−ジブロモプロピル）、燐酸トリフェニル、燐酸トリクレシル、燐酸ジフェニルクレシル、燐酸ジフェニルオクチル、燐酸ジフェニル−２−エチルクレシル、燐酸トリ−（イソプロピルフェニル）、ハロゲン−置換された燐酸アリール、メチルホスホン酸ジメチル、メチルホスホン酸ジフェニル、ホスホン酸ジエチルフェニル、酸化トリフェニルホスフィン、酸化トリクレシルホスフィンおよび／または燐酸ｍ−フェニレン−ビス（ジフェニル）から選択される、上記１〜４のいずれか１項に記載の成形組成物。
６．  ポリテトラフルオロエチレン、ポリ弗化ビニリデン、テトラフルオロエチレン／ヘキサフルオロプロピレンおよび／またはエチレン／テトラフルオロエチレン共重合体が弗素化されたポリオレフィンＥとして使用される、上記１に記載の成形組成物。
７．  成分Ｆとして、元素の周期系の１Ａ〜５Ａおよび１Ｂ〜８からの元素と酸素、硫黄、ホウ素、炭素、燐、窒素、水素または珪素よりなる群から選択される少なくとも１種の元素との化合物を含有する、上記１に記載の成形組成物。
８．  成分ＦがＴｉＮ、ＴｉＯ2、ＳｎＯ2、ＷＣ、ＺｎＯ、Ａｌ2Ｏ3、ＡｌＯ（ＯＨ）、ＺｒＯ2、Ｓｂ2Ｏ3、ＳｉＯ2、ホウ酸亜鉛、Ｎａ2ＳＯ4、ＢａＳＯ4、酸化ベナジウムおよび／または珪酸バナジウムから選択される、上記１〜７のいずれかに記載の成形組成物。
９．  成分Ｆの平均粒子直径が１５０ｎｍより小さいかまたはそれに等しい、上記１〜８のいずれかに記載の成形組成物。
１０．  それらが全成形組成物に関して０.０１〜２０重量％の成分Ｄとは異なる少なくとも１種の別の耐炎剤を含有することを特徴とする、上記１〜９のいずれかに記載の成形組成物。
１１．  １０〜９０重量部の成分Ａ）、場合により２〜３０重量部の成分Ｂ）、１〜４０重量部の成分Ｃ）および１〜１８重量部の成分Ｄ）、０.１〜１重量部のＥ）および０.１〜１０重量部のＦ）を含有する、上記１〜１０のいずれか１項に記載の成形組成物。
１２．  グラフト基質Ｃ.２として、ジエンゴム、アクリル酸エステルゴム、シリコーンゴムまたはエチレン／プロピレン／ジエンゴムを含有する、上記１〜１１のいずれか１項に記載の成形組成物。
１３．  安定剤、顔料、型抜き剤、流動促進剤および／または帯電防止剤の群からの少なくとも１種の添加剤を含有する、上記１〜１２のいずれか１項に記載の成形組成物。
１４．  成形された品物を製造するための、上記１〜１３のいずれか１項に記載の成形組成物の使用。
１５．  上記１〜１３のいずれか１項に記載の成形組成物から製造される成形された品物。